【手続補正書】
【提出日】平成20年6月24日(2008.6.24)
【手続補正１】
【補正対象書類名】特許請求の範囲
【補正対象項目名】全文
【補正方法】変更
【補正の内容】
【特許請求の範囲】
【請求項１】
少なくとも、水、水不溶性色材、該水不溶性色材に対する良溶媒及び該水不溶性色材に対する貧溶媒を含む複数の水溶性有機溶剤、をそれぞれ含有する、シアンインク、マゼンタインク、イエローインク、及びブラックインクの４種の水性インクを有するインクセットにおいて、
該シアンインクに含まれる、良溶媒の含有量（質量％）をＡ1、貧溶媒の含有量（質量％）をＢ1としたときに、Ｂ1／Ａ1が０．５以上３．０以下であり、且つ、ブリストウ法によって求められる、前記複数の水溶性有機溶剤の各々のＫａ値のうち最大のＫａ値を示す水溶性有機溶剤が前記貧溶媒であり、
且つ、前記インクセットが具備するシアンインク以外の各水性インクに含まれる、良溶媒の含有量（質量％）をＡ、貧溶媒の含有量（質量％）をＢとしたときに、前記シアンインクと該シアンインク以外の全ての水性インクとが、下記式（Ｉ）を満たすことを特徴とするインクセット。
（Ｂ1／Ａ1）／（Ｂ／Ａ）＞１    （Ｉ）
【請求項２】
前記シアンインクと該シアンインク以外の全ての水性インクとが、下記式（Ｉ’）を満たす請求項１に記載のインクセット。
（Ｂ1／Ａ1）／（Ｂ／Ａ）≧１．８    （Ｉ’）
【請求項３】
前記シアンインクに含まれる貧溶媒の含有量（質量％）が、前記シアンインク全質量に対して４質量％以上である請求項１又は２に記載のインクセット。
【請求項４】
インクと反応液のセットであって、前記インクが請求項１乃至３のいずれか１項に記載のインクセットが具備する少なくとも１種の水性インクであり、前記反応液が、該インクセットが具備する少なくとも１種の水性インクと接触することによって該水性インク中の水不溶性色材の分散状態を不安定化させるものであることを特徴とするインクと反応液のセット。
【請求項５】
請求項４に記載のインクと反応液のセットを用いて行う画像形成方法であって、
（ｉ）前記反応液を記録媒体に付与する工程、及び
（ｉｉ）前記反応液が定着した記録媒体に、前記インクセットが具備する少なくとも１種の水性インクを付与する工程、
とを有することを特徴とする画像形成方法。
【請求項６】
ブラックインクと、シアンインク、マゼンタインク、及びイエローインクから選ばれる少なくとも１色のカラーインクとを用いて記録媒体にインクジェット記録方式で記録を行う画像形成方法であって、請求項１乃至３のいずれか１項に記載のインクセットを使用することを特徴とする画像形成方法。
【請求項７】
ブラックインクと、シアンインク、マゼンタインク、及びイエローインクから選ばれる少なくとも１色のカラーインクとを用いて記録媒体にインクジェット記録方式で記録を行うための画像形成装置であって、請求項１乃至３のいずれか１項に記載のインクセットを使用することを特徴とする画像形成装置。
【手続補正２】
【補正対象書類名】明細書
【補正対象項目名】発明の名称
【補正方法】変更
【補正の内容】
【発明の名称】インクセット、インクと反応液のセット、画像形成方法及び画像形成装置
【手続補正３】
【補正対象書類名】明細書
【補正対象項目名】００１１
【補正方法】変更
【補正の内容】
【００１１】
又、本発明の別の目的は、少ないインク液滴量であっても十分に大きなエリアファクターを有し、且つ画像濃度の高い画像が得ることができる特性を示すインクを複数用いて画像を形成する場合のカラーバランスに優れ、更に保存安定性に優れるインクセット、ならびにこのインクセットを使用した画像形成方法および画像形成装置を提供することにある。
【手続補正４】
【補正対象書類名】明細書
【補正対象項目名】００１３
【補正方法】変更
【補正の内容】
【００１３】
即ち、本発明にかかるインクセットは、少なくとも、水、水不溶性色材、該水不溶性色材に対する良溶媒及び該水不溶性色材に対する貧溶媒を含む複数の水溶性有機溶剤、をそれぞれ含有する、シアンインク、マゼンタインク、イエローインク、及びブラックインクの４種の水性インクを有するインクセットにおいて、該シアンインクに含まれる、良溶媒の含有量（質量％）をＡ1、貧溶媒の含有量（質量％）をＢ1としたときに、Ｂ1／Ａ1が０．５以上３．０以下であり、且つ、ブリストウ法によって求められる、前記複数の水溶性有機溶剤の各々のＫａ値のうち最大のＫａ値を示す水溶性有機溶剤が前記貧溶媒であり、且つ、前記インクセットが具備するシアンインク以外の各水性インクに含まれる、良溶媒の含有量（質量％）をＡ、貧溶媒の含有量（質量％）をＢとしたときに、前記シアンインクと該シアンインク以外の全ての水性インクとが、下記式（Ｉ）を満たすことを特徴とする。
【手続補正５】
【補正対象書類名】明細書
【補正対象項目名】００１４
【補正方法】変更
【補正の内容】
【００１４】
（Ｂ1／Ａ1）／（Ｂ／Ａ）＞１    （Ｉ）
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】変更
【補正の内容】
【００１８】
又、本発明にかかる画像形成方法は、ブラックインクと、シアンインク、マゼンタインク、及びイエローインクから選ばれる少なくとも１色のカラーインクとを用いて記録媒体にインクジェット記録方式で記録を行う画像形成方法であって、上記のインクセットを使用することを特徴とする。
又、本発明にかかる画像形成装置は、ブラックインクと、シアンインク、マゼンタインク、及びイエローインクから選ばれる少なくとも１色のカラーインクとを用いて記録媒体にインクジェット記録方式で記録を行うための画像形成装置であって、上記のインクセットを使用することを特徴とする。
尚、本発明の技術要旨を思想的にまとめると、水、水不溶性色材、複数の水溶性有機溶剤を含有するシアンインクにおいて、該複数の水溶性有機溶剤が、前記水不溶性色材に対する良溶媒及び前記水不溶性色材に対する貧溶媒であり、且つ、ブリストウ法によって求められる、前記複数の水溶性有機溶剤の各々のＫａ値のうち、最大のＫａ値を示す水溶性有機溶剤が前記貧溶媒であり、且つ、前記貧溶媒が良溶媒よりも先行して記録媒体に浸透し、記録媒体表面近傍での良溶媒リッチとなった液媒体中の前記水不溶性色材の凝集を補助することを特徴とするシアンインクである。
【手続補正８】
【補正対象書類名】明細書
【補正対象項目名】００２２
【補正方法】変更
【補正の内容】
【００２２】
本発明によれば、少ないインク液滴量であっても十分に大きなエリアファクターを有し、且つ画像濃度の高い画像が得られ、更に保存安定性に優れたシアンインクを提供することができる。又、本発明の別の実施態様によれば、少ないインク液滴量であっても十分に大きなエリアファクターを有し、且つ画像濃度の高い画像を得ることができる特性を示すインクを複数用いて画像を形成する場合の耐ブロンズ性を向上できるシアンインクを提供することができる。又、本発明の別の実施態様によれば、少ないインク液滴量であっても十分に大きなエリアファクターを有し、且つ画像濃度の高い画像が得ることができる特性を示すインクを複数用いて画像を形成する場合のカラーバランスに優れ、更に保存安定性に優れるインクセット、ならびにこのインクセットを使用した画像形成方法および画像形成装置を提供することができる。
【手続補正９】
【補正対象書類名】明細書
【補正対象項目名】００７３
【補正方法】変更
【補正の内容】
【００７３】
又、本発明にかかる水性インクにおいては、貧溶媒の含有量（質量％）がインク全質量に対して４質量％以上である場合、高い画像濃度とインクの保存安定性を両立する観点からより好ましい。又、貧溶媒の含有量（質量％）がインク全質量に対して３７．５質量％以下であることが好ましく、更には、５質量％以上２０質量％以下であることが好ましい。
【手続補正１０】
【補正対象書類名】明細書
【補正対象項目名】０１０５
【補正方法】変更
【補正の内容】
【０１０５】
カチオン性モノマーと疎水性モノマーとのカチオン性の共重合体は、先に挙げた疎水性モノマーから選択された何れかと、上記に挙げたカチオン性モノマーから選択された少なくとも１つ、の少なくとも２つ以上のモノマーからなる。前記カチオン性の共重合体は、ブロック共重合体、ランダム共重合体、グラフト共重合体、或いは、これらの塩等が挙げられる。
【手続補正１１】
【補正対象書類名】明細書
【補正対象項目名】０１１２
【補正方法】変更
【補正の内容】
【０１１２】
上記第２の工程では、第１の工程によってカーボンブラック表面に化学的に結合しているフェニル（２−スルホエチル）スルホン基とＰＥＨＡのアミノ基とを反応させることによって、カーボンブラック表面に化学的に結合してなる官能基としてのアミノ基が導入される。そして、上記第３の工程においては、例えば、共重合体のイオン性モノマー部分が有するカルボキシル基の一部をアミノ基と反応させてアミド結合を形成させることによって、共重合体をカーボンブラックの表面に、ＡＰＳＥＳの残基であるフェニル（２−スルホエチル）基とＰＥＨＡの残基とを含む原子団を介して共重合体が導入できる。
【手続補正１２】
【補正対象書類名】明細書
【補正対象項目名】０１４７
【補正方法】変更
【補正の内容】
【０１４７】
反応液の塗布手段は、給紙カセット１６内に設けられ、かつ反応液１５を供給するための補充タンク２２と、前記タンク２２に周面の一部を浸した状態で回転自在に支持された中間ローラー１２と、前記中間ローラーと平行となるようにして配置され、かつ中間ローラー１２と接触し、同一方向へ回転する塗布ローラー６を有する。又、塗布ローラー６は、記録紙１９を搬送するための中間ローラー１２と周面が接触、かつ平行となるようにして配置している。従って、記録紙１９が搬送される際、中間ローラー１２の回転にともなって中間ローラー１２及び塗布ローラー６が回転する。その結果、供給ローラー１３によって塗布ローラー６の周面に前記反応液１５が供給され、更に塗布ローラー６と中間ローラー１２とによって挟持された記録紙１９の印字面に満遍なく前記反応液が塗布ローラー６によって塗布される。
【手続補正１３】
【補正対象書類名】明細書
【補正対象項目名】０１８６
【補正方法】変更
【補正の内容】
【０１８６】
（参考例１及び２）
下記表７及び表８に示した各成分を混合し、十分撹拌した後、ポアサイズ３．０μｍのミクロフィルター（富士フィルム製）にて加圧ろ過を行い、表７及び表８の各水性インク及びインクセットを調製した。尚、表中のＢ／Ａは、各水性インクにおける良溶媒の含有量（質量％）をＡ、貧溶媒の含有量（質量％）をＢとしたときの、Ｂ／Ａの値である。尚、参考例の水性インクの調製にあたっては、Ｂ／Ａの値が０．５以上３．０以下となるように調整した。